(57)【要約】【課題】  従来と同等のデコーダを備えた再生装置において容易に再生することが可能な構成の音声等を記録すると共に、ＤＶＤ専用のデコーダを備えた再生装置においても容易に再生することが可能な音声等を記録する記録装置等を提供する。【解決手段】  ２４ビットで量子化されたオーディオデータを、上位１６ビットの上位ビットデータ６６と下位８ビットの下位ビットデータ６７とに分割する。  そして、偶数番目の量子化タイミングに対応する上位ビットデータ６６Ａと奇数番目の量子化タイミングに対応する上位ビットデータ６６Ｂとで上位ビットデータブロックＵＢを構成し、更に、偶数番目の量子化タイミングに対応する下位ビットデータ６７Ａと奇数番目の量子化タイミングに対応する下位ビットデータ６７Ｂとで下位ビットデータブロックＤＢを構成し、上位ビットデータブロックＵＢと下位ビットデータブロックＤＢを隣接させてサンプルブロックＳＰＢを構成し、ＤＶＤ１に記録する。【選択図】  図３
2006079828.tif 000002
【特許請求の範囲】
【請求項１】
一つのストリームを構成する複数のチャンネルからなる記録すべき記録情報を８×ｎ（ｎは２以上の自然数）ビットで量子化し、量子化記録情報を出力する量子化手段と、
前記量子化記録情報を、各前記チャンネル毎に、上位の８×ｍ（ｍ＜ｎ、且つ、ｍは自然数）ビットの上位ビット量子化記録情報と、前記上位ビット量子化記録情報以外の前記量子化記録情報である下位ビット量子化記録情報とに分割する分割手段と、
分割された前記上位ビット量子化記録情報及び前記下位ビット量子化記録情報に基づいて、連続する量子化タイミングに対応する複数の前記上位ビット量子化記録情報を各前記チャンネル分含む上位ビット量子化記録情報ブロックと、前記連続する量子化タイミングに対応する複数の前記下位ビット量子化記録情報を各前記チャンネル分含む下位ビット量子化記録情報ブロックとを構成し、前記上位ビット量子化記録情報ブロックと下位ビット量子化記録情報ブロックとを隣接させて記録情報ブロックを構成し、連続する複数の前記記録情報ブロックを含む記録情報単位を構成する構成手段と、
情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報を生成する付加情報生成手段と、
前記構成された記録情報単位と、前記生成された付加情報と、を多重して多重記録情報を生成する多重記録情報生成手段と、
前記多重記録情報を前記情報記録媒体に記録する記録手段と、
を備えることを特徴とする記録装置。
【請求項２】
請求項１に記載の記録装置において、
前記付加情報には、少なくとも、前記記録情報の量子化の際のビット数を示す量子化ビット数情報と、前記チャンネルの数を示すチャンネル数情報と、が含まれていることを特徴とする記録装置。
【請求項３】
請求項１又は２に記載の記録装置において、
前記記録情報は音情報であると共に、
前記量子化手段は、前記記録情報を各前記チャンネル毎に２４ビットで量子化し、
更に前記分割手段は、前記量子化記録情報のうち上位１６ビットの前記量子化記録情報を前記上位ビット量子化記録情報とし、且つ、前記量子化記録情報のうち下位８ビットの前記量子化記録情報を前記下位ビット量子化記録情報とすることを特徴とする記録装置。
【請求項４】
請求項１から３のいずれか一項に記載の記録装置において、
前記多重記録情報生成手段は、各前記チャンネル毎に、連続する二の量子化タイミングに対応する二の上位ビット量子化記録情報により上位ビット量子化記録情報ブロックを構成すると共に、
前記二の量子化タイミングに対応する二の下位ビット量子化記録情報により下位ビット量子化記録情報ブロックを構成することを特徴とする記録装置。
【請求項５】
請求項１ないし４のいずれか１に記載の記録装置において、
前記記録手段はマスタリング装置であり
前記情報記録媒体はスタンパディスクであることを特徴とする記録装置。
【請求項６】
請求項５に記載の記録装置において、
前記スタンパディスクを用いてレプリカディスクを製造するレプリケーション手段を更に備えたことを特徴とする記録装置。
【請求項７】
請求項１ないし６のいずれか１に記載の記録装置で記録された情報記録媒体。
【請求項８】
一つのストリームを構成する複数のチャンネルからなる記録すべき記録情報を８×ｎ（ｎは２以上の自然数）ビットで量子化し、量子化記録情報を出力する量子化工程と、
前記量子化記録情報を、各前記チャンネル毎に、上位の８×ｍ（ｍ＜ｎ、且つ、ｍは自然数）ビットの上位ビット量子化記録情報と、前記上位ビット量子化記録情報以外の前記量子化記録情報である下位ビット量子化記録情報とに分割する分割工程と、
分割された前記上位ビット量子化記録情報及び前記下位ビット量子化記録情報に基づいて、連続する量子化タイミングに対応する複数の前記上位ビット量子化記録情報を各前記チャンネル分含む上位ビット量子化記録情報ブロックと、前記連続する量子化タイミングに対応する複数の前記下位ビット量子化記録情報を各前記チャンネル分含む下位ビット量子化記録情報ブロックとを構成し、前記上位ビット量子化記録情報ブロックと下位ビット量子化記録情報ブロックとを隣接させて記録情報ブロックを構成し、連続する複数の前記記録情報ブロックを含む記録情報単位を構成する構成工程と、
情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報を生成する付加情報生成工程と、
前記構成された記録情報単位と、前記生成された付加情報と、を多重して多重記録情報を生成する多重記録情報生成工程と、
前記多重記録情報を前記情報記録媒体に記録する記録工程と、
を備えることを特徴とする記録方法。
【請求項９】
請求項８に記載の記録方法において、
前記付加情報には、少なくとも、前記記録情報の量子化の際のビット数を示す量子化ビット数情報と、前記チャンネルの数を示すチャンネル数情報と、が含まれていることを特徴とする記録方法。
【請求項１０】
請求項８又は９に記載の記録方法において、
前記記録情報は音情報であると共に、
前記量子化工程は、前記記録情報を各前記チャンネル毎に２４ビットで量子化し、
更に前記分割工程は、前記量子化記録情報のうち上位１６ビットの前記量子化記録情報を前記上位ビット量子化記録情報とし、且つ、前記量子化記録情報のうち下位８ビットの前記量子化記録情報を前記下位ビット量子化記録情報とすることを特徴とする記録方法。
【請求項１１】
請求項８から１０のいずれか一項に記載の記録方法において、
前記多重記録情報生成工程は、各前記チャンネル毎に、連続する二の量子化タイミングに対応する二の上位ビット量子化記録情報により上位ビット量子化記録情報ブロックを構成すると共に、
前記二の量子化タイミングに対応する二の下位ビット量子化記録情報により下位ビット量子化記録情報ブロックを構成することを特徴とする記録方法。
【請求項１２】
請求項８から１１のいずれか１に記載の記録方法において、
前記記録工程はマスタリング工程であり、
前記情報記録媒体はスタンパディスクであることを特徴とする記録方法。
【請求項１３】
請求項１２に記載の記録方法において、
前記スタンパディスクを用いてレプリカディスクを製造するレプリケーション工程を更に備えたことを特徴とする記録方法。
【請求項１４】
請求項８から１３のいずれか１に記載の記録方法で記録された情報記録媒体。
【請求項１５】
一つのストリームを構成する複数のチャンネルからなる記録情報を当該各チャンネル毎に８×ｎ（ｎは２以上の自然数）ビットで量子化した量子化記録情報が、当該各チャンネル毎に、上位の８×ｍ（ｍ＜ｎ、且つ、ｍは自然数）ビットの前記量子化記録情報である上位ビット量子化記録情報と、前記上位ビット量子化記録情報以外の前記量子化記録情報である下位ビット量子化記録情報とに分割されていると共に、
連続する量子化タイミングに対応する複数の前記上位ビット量子化記録情報を各前記チャンネル分含む上位ビット量子化記録情報ブロックと、前記量子化タイミングに対応する複数の前記下位ビット量子化記録情報を各前記チャンネル分含む下位ビット量子化記録情報ブロックとが構成されており、
前記上位ビット量子化記録情報ブロックと前記下位ビット量子化記録情報ブロックとにより記録情報ブロックが構成されており、
連続する複数の当該記録情報ブロックにより記録情報単位が構成されており、
情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報と、前記構成された記録情報単位と、が多重された構造で記録されている情報記録領域を備えることを特徴とする情報記録媒体。
【請求項１６】
請求項１５に記載の情報記録媒体において、
前記付加情報には、少なくとも、前記記録情報の量子化の際のビット数を示す量子化ビット数情報と、前記チャンネルの数を示すチャンネル数情報と、が含まれていることを特徴とする情報記録媒体。
【請求項１７】
請求項１５又は１６に記載の情報記録媒体において、
前記記録情報は音情報であると共に、
前記量子化記録情報は、前記記録情報を各前記チャンネル毎に２４ビットで量子化することにより得られたものであり、
更に前記上位ビット量子化記録情報は前記量子化記録情報のうち上位１６ビットの前記量子化記録情報であり、且つ、前記下位ビット量子化記録情報は前記量子化記録情報のうち下位８ビットの前記量子化記録情報であることを特徴とする情報記録媒体。
【請求項１８】
請求項１５から１７のいずれか一項に記載の情報記録媒体において、
前記上位ビット量子化記録情報ブロックは、各前記チャンネル毎に連続する二の量子化タイミングに対応する二の上位ビット量子化記録情報により構成されていると共に、
前記下位ビット量子化記録情報ブロックは前記二の量子化タイミングに対応する二の下位ビット量子化記録情報により構成されていることを特徴とする情報記録媒体。
【請求項１９】
一つのストリームを構成する複数のチャンネルからなる記録情報を当該各チャンネル毎に８×ｎ（ｎは２以上の自然数）ビットで量子化した量子化記録情報が、当該各チャンネル毎に、上位の８×ｍ（ｍ＜ｎ、且つ、ｍは自然数）ビットの前記量子化記録情報である上位ビット量子化記録情報と、前記上位ビット量子化記録情報以外の前記量子化記録情報である下位ビット量子化記録情報とに分割されると共に、連続する量子化タイミングに対応する複数の前記上位ビット量子化記録情報を各前記チャンネル分含む上位ビット量子化記録情報ブロックと、前記連続する量子化タイミングに対応する複数の前記下位ビット量子化記録情報を各前記チャンネル分含む下位ビット量子化記録情報ブロックとが構成され、前記上位ビット量子化記録情報ブロックと前記下位ビット量子化記録情報ブロックとにより記録情報ブロックが構成されており、連続する複数の当該記録情報ブロックにより記録情報単位が構成されており、情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報と、前記構成された記録情報単位と、が多重されて記録されている前記情報記録媒体から前記記録情報を再生する再生装置であって、
前記情報記録媒体から各前記チャンネル毎に前記多重記録情報を検出し、復調して復調信号として出力する検出復調手段と、
前記復調信号から、前記上位ビット量子化記録情報ブロックのみを抽出する記録情報ブロック抽出手段と、
前記抽出された上位ビット量子化記録情報ブロックに含まれる前記上位ビット量子化記録情報を再生処理して前記記録情報を出力する再生処理手段と、
を備えたことを特徴とする再生装置。
【請求項２０】
一つのストリームを構成する複数のチャンネルからなる記録情報を当該各チャンネル毎に８×ｎ（ｎは２以上の自然数）ビットで量子化した量子化記録情報が、当該各チャンネル毎に、上位の８×ｍ（ｍ＜ｎ、且つ、ｍは自然数）ビットの前記量子化記録情報である上位ビット量子化記録情報と、前記上位ビット量子化記録情報以外の前記量子化記録情報である下位ビット量子化記録情報とに分割されると共に、連続する量子化タイミングに対応する複数の前記上位ビット量子化記録情報を各前記チャンネル分含む上位ビット量子化記録情報ブロックと、前記連続する量子化タイミングに対応する複数の前記下位ビット量子化記録情報を各前記チャンネル分含む下位ビット量子化記録情報ブロックとが構成され、前記上位ビット量子化記録情報ブロックと前記下位ビット量子化記録情報ブロックとにより記録情報ブロックが構成されており、連続する複数の当該記録情報ブロックにより記録情報単位が構成されており、情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報と、前記構成された記録情報単位と、が多重されて記録されている情報記録媒体から前記記録情報を再生する再生装置であって、
前記情報記録媒体から各前記チャンネル毎に前記多重記録情報を検出し、復調して復調信号として出力する検出復調手段と、
前記復調信号から、前記上位ビット量子化記録情報ブロック及び前記下位ビット量子化記録情報ブロックを抽出する記録情報ブロック抽出手段と、
前記抽出された上位ビット量子化記録情報ブロック及び下位ビット量子化記録情報ブロックから前記上位ビット量子化記録情報及び当該上位ビット量子化記録情報に対応する前記下位ビット量子化記録情報を抽出する量子化記録情報抽出手段と、
前記抽出された上位ビット量子化記録情報及び下位ビット量子化記録情報を合成すると共に再生処理して前記記録情報を出力する再生処理手段と、
を備えたことを特徴とする再生装置。
【請求項２１】
請求項１９又は２０に記載の再生装置において、
前記付加情報には、少なくとも、前記記録情報の量子化の際のビット数を示す量子化ビット数情報と、前記チャンネルの数を示すチャンネル数情報と、が含まれており、
前記記録情報ブロック抽出手段は、前記付加情報に基づいて、前記記録情報単位内における前記上位ビット量子化記録情報ブロック又は前記下位ビット量子化記録情報ブロックの少なくともいずれか一方の記録位置を特定することを特徴とする再生装置。
【請求項２２】
請求項１９から２１のいずれか一項に記載の再生装置において、
前記記録情報は音情報であると共に、
前記量子化記録情報は、前記記録情報を各前記チャンネル毎に２４ビットで量子化することにより得られたものであり、
更に前記上位ビット量子化記録情報は前記量子化記録情報のうち上位１６ビットの前記量子化記録情報であり、且つ、前記下位ビット量子化記録情報は前記量子化記録情報のうち下位８ビットの前記量子化記録情報であることを特徴とする再生装置。
【請求項２３】
請求項１９から２２のいずれか一項に記載の再生装置において、
前記上位ビット量子化記録情報ブロックは、各前記チャンネル毎に連続する二の量子化タイミングに対応する二の上位ビット量子化記録情報により構成されていると共に、
前記下位ビット量子化記録情報ブロックは、前記二の量子化タイミングに対応する二の下位ビット量子化記録情報により構成されていることを特徴とする再生装置。
【請求項２４】
一つのストリームを構成する複数のチャンネルからなる記録情報を当該各チャンネル毎に８×ｎ（ｎは２以上の自然数）ビットで量子化した量子化記録情報が、当該各チャンネル毎に、上位の８×ｍ（ｍ＜ｎ、且つ、ｍは自然数）ビットの前記量子化記録情報である上位ビット量子化記録情報と、前記上位ビット量子化記録情報以外の前記量子化記録情報である下位ビット量子化記録情報とに分割されると共に、連続する量子化タイミングに対応する複数の前記上位ビット量子化記録情報を各前記チャンネル分含む上位ビット量子化記録情報ブロックと、前記連続する量子化タイミングに対応する複数の前記下位ビット量子化記録情報を各前記チャンネル分含む下位ビット量子化記録情報ブロックとが構成され、前記上位ビット量子化記録情報ブロックと前記下位ビット量子化記録情報ブロックとにより記録情報ブロックが構成されており、連続する複数の当該記録情報ブロックにより記録情報単位が構成されており、情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報と、前記構成された記録情報単位と、が多重されて記録されている情報記録媒体から前記記録情報を再生する再生方法であって、
前記情報記録媒体から各前記チャンネル毎に前記多重記録情報を検出し、復調して復調信号として出力する検出復調工程と、
前記復調信号から、前記上位ビット量子化記録情報ブロックのみを抽出する記録情報ブロック抽出工程と、
前記抽出された上位ビット量子化記録情報ブロックに含まれる前記上位ビット量子化記録情報を再生処理して前記記録情報を出力する再生処理工程と、
を備えたことを特徴とする再生方法。
【請求項２５】
一つのストリームを構成する複数のチャンネルからなる記録情報を当該各チャンネル毎に８×ｎ（ｎは２以上の自然数）ビットで量子化した量子化記録情報が、当該各チャンネル毎に、上位の８×ｍ（ｍ＜ｎ、且つ、ｍは自然数）ビットの前記量子化記録情報である上位ビット量子化記録情報と、前記上位ビット量子化記録情報以外の前記量子化記録情報である下位ビット量子化記録情報とに分割されると共に、連続する量子化タイミングに対応する複数の前記上位ビット量子化記録情報を各前記チャンネル分含む上位ビット量子化記録情報ブロックと、前記連続する量子化タイミングに対応する複数の前記下位ビット量子化記録情報を各前記チャンネル分含む下位ビット量子化記録情報ブロックとが構成され、前記上位ビット量子化記録情報ブロックと下位ビット量子化記録情報ブロックとにより記録情報ブロックが構成されており、連続する複数の当該記録情報ブロックにより記録情報単位が構成されており、情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報と、前記構成された記録情報単位と、が多重されて記録されている情報記録媒体から前記記録情報を再生する再生方法であって、
前記情報記録媒体から各前記チャンネル毎に前記多重記録情報を検出し、復調して復調信号として出力する検出復調工程と、
前記復調信号から、前記上位ビット量子化記録情報ブロック及び前記下位ビット量子化記録情報ブロックを抽出する記録情報ブロック抽出工程と、
前記抽出された上位ビット量子化記録情報ブロック及び下位ビット量子化記録情報ブロックから前記上位ビット量子化記録情報及び当該上位ビット量子化記録情報に対応する前記下位ビット量子化記録情報を抽出する量子化記録情報抽出工程と、
前記抽出された上位ビット量子化記録情報及び下位ビット量子化記録情報を合成すると共に再生処理して前記記録情報を出力する再生処理工程と、
を備えたことを特徴とする再生方法。
【請求項２６】
請求項２４又は２５に記載の再生方法において、
前記付加情報には、少なくとも、前記記録情報の量子化の際のビット数を示す量子化ビット数情報と、前記チャンネルの数を示すチャンネル数情報と、が含まれており、
前記記録情報ブロック抽出工程においては、前記付加情報に基づいて、前記記録情報単位内における前記上位ビット量子化記録情報ブロック又は前記下位ビット量子化記録情報ブロックの少なくともいずれか一方の記録位置を特定することを特徴とする再生方法。
【請求項２７】
請求項２４から２６のいずれか一項に記載の再生方法において、
前記記録情報は音情報であると共に、
前記量子化記録情報は、前記記録情報を各前記チャンネル毎に２４ビットで量子化することにより得られたものであり、
更に前記上位ビット量子化記録情報は前記量子化記録情報のうち上位１６ビットの前記量子化記録情報であり、且つ、前記下位ビット量子化記録情報は前記量子化記録情報のうち下位８ビットの前記量子化記録情報であることを特徴とする再生方法。
【請求項２８】
請求項２４から２７のいずれか一項に記載の再生方法において、
前記上位ビット量子化記録情報ブロックは、各前記チャンネル毎に連続する二の量子化タイミングに対応する二の上位ビット量子化記録情報により構成されていると共に、
前記下位ビット量子化記録情報ブロックは、前記二の量子化タイミングに対応する二の下位ビット量子化記録情報により構成されていることを特徴とする再生方法。
【発明の詳細な説明】
【技術分野】
【０００１】
本願は、ＤＶＤに代表される映像、音声等の情報を高密度に記録可能な高密度光ディスク等の情報記録媒体、並びに当該情報記録媒体に情報を記録するための記録装置、及び当該情報記録媒体から情報を再生するための再生装置の技術分野に属する。
【背景技術】
【０００２】
従来、映像、音声等の情報が記録された光ディスクとしては、いわゆるＬＤ（Laser Disk）、ＣＤ（Compact Disk）等が広く一般化している。
【０００３】
これらのＬＤ等においては、映像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【０００４】
しかし、上記ＬＤ等においては、表示される映像や再生される音声について視聴者が選択枝をもち、当該視聴者がそれらを選択して視聴する等のいわゆるインタラクティブな変化に富んだ再生はできないという問題点があった。
【０００５】
すなわち、例えば、ＬＤに記録されている外国映画を視聴する場合に、画面に表示されている字幕で用いられている言語を選択して（例えば、日本語の字幕と原語の字幕を選択して）表示させたり、又はＣＤに記録されている音楽を聴取する場合に、その音楽の音声を選択する（例えば、英語の歌詞で聞くか或は日本語の歌詞で聞くかを選択する）ことができないのである。
【０００６】
一方、現在、上記従来のＣＤに対して、光ディスク自体の大きさを変えずに記憶容量を約１０倍に向上させた光ディスクであるＤＶＤについての提案や開発が盛んであるが、このＤＶＤに対して、上記複数の字幕や複数の言語で音声等を記録しておけば、視聴者がそれを選択することにより上記インタラクティブな変化に富んだ再生を楽しむことも可能となる。
【発明の開示】
【発明が解決しようとする課題】
【０００７】
しかしながら、上記ＤＶＤに対して複数種類の言語の音声や、多種類の音楽等を記録する際には、それらをディジタル化して記録する際のビット数を多くして高音質の音声等を記録することも可能であるが、このとき、従来の再生装置におけるデコーダを流用して安価に再生装置を構成しようとすると、当該デコーダが上記ＤＶＤに記録されている音声等のビット数に対応する処理能力を有していない場合が考えられる。
【０００８】
この場合に、適切な記録態様で当該音声等を記録しておかないと、上記従来のデコーダを流用した安価な再生装置における再生の際、再生すべき音声情報が再生されない場合も生じ得るという問題点がある。
【０００９】
そこで、本発明は、この問題点に鑑みて為されたもので、その課題は、従来のデコーダと同等の機能を有するデコーダを備えた安価な再生装置において上記ＤＶＤに記録された音声等を再生する際に、容易に再生することが可能な音声等を記録すると共に、上記ＤＶＤ専用の高性能のデコーダを備えた再生装置においても容易に再生することが可能な音声等を記録することが可能な記録装置及び当該音声等が記録された情報記録媒体を提供すると共に、当該音声等を再生することが可能な再生装置を提供することにある。
【課題を解決するための手段】
【００１０】
上記の課題を解決するために、請求項１に記載の発明は、一つのストリームを構成する複数のチャンネルからなる記録すべき記録情報を８×ｎ（ｎは２以上の自然数）ビットで量子化し、量子化記録情報を出力する量子化手段と、前記量子化記録情報を、各前記チャンネル毎に、上位の８×ｍ（ｍ＜ｎ、且つ、ｍは自然数）ビットの上位ビット量子化記録情報と、前記上位ビット量子化記録情報以外の前記量子化記録情報である下位ビット量子化記録情報とに分割する分割手段と、分割された前記上位ビット量子化記録情報及び前記下位ビット量子化記録情報に基づいて、連続する量子化タイミングに対応する複数の前記上位ビット量子化記録情報を各前記チャンネル分含む上位ビット量子化記録情報ブロックと、前記連続する量子化タイミングに対応する複数の前記下位ビット量子化記録情報を各前記チャンネル分含む下位ビット量子化記録情報ブロックとを構成し、前記上位ビット量子化記録情報ブロックと下位ビット量子化記録情報ブロックとを隣接させて記録情報ブロックを構成し、連続する複数の前記記録情報ブロックを含む記録情報単位を構成する構成手段と、情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報を生成する付加情報生成手段と、前記構成された記録情報単位と、前記生成された付加情報と、を多重して多重記録情報を生成する多重記録情報生成手段と、前記多重記録情報を前記情報記録媒体に記録する記録手段と、を備える。
【００１１】
上記の課題を解決するために、請求項８に記載の発明は、一つのストリームを構成する複数のチャンネルからなる記録すべき記録情報を８×ｎ（ｎは２以上の自然数）ビットで量子化し、量子化記録情報を出力する量子化工程と、前記量子化記録情報を、各前記チャンネル毎に、上位の８×ｍ（ｍ＜ｎ、且つ、ｍは自然数）ビットの上位ビット量子化記録情報と、前記上位ビット量子化記録情報以外の前記量子化記録情報である下位ビット量子化記録情報とに分割する分割工程と、分割された前記上位ビット量子化記録情報及び前記下位ビット量子化記録情報に基づいて、連続する量子化タイミングに対応する複数の前記上位ビット量子化記録情報を各前記チャンネル分含む上位ビット量子化記録情報ブロックと、前記連続する量子化タイミングに対応する複数の前記下位ビット量子化記録情報を各前記チャンネル分含む下位ビット量子化記録情報ブロックとを構成し、前記上位ビット量子化記録情報ブロックと下位ビット量子化記録情報ブロックとを隣接させて記録情報ブロックを構成し、連続する複数の前記記録情報ブロックを含む記録情報単位を構成する構成工程と、情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報を生成する付加情報生成工程と、前記構成された記録情報単位と、前記生成された付加情報と、を多重して多重記録情報を生成する多重記録情報生成工程と、前記多重記録情報を前記情報記録媒体に記録する記録工程と、を備える。
【００１２】
上記の課題を解決するために、請求項１５に記載の発明は、一つのストリームを構成する複数のチャンネルからなる記録情報を当該各チャンネル毎に８×ｎ（ｎは２以上の自然数）ビットで量子化した量子化記録情報が、当該各チャンネル毎に、上位の８×ｍ（ｍ＜ｎ、且つ、ｍは自然数）ビットの前記量子化記録情報である上位ビット量子化記録情報と、前記上位ビット量子化記録情報以外の前記量子化記録情報である下位ビット量子化記録情報とに分割されていると共に、連続する量子化タイミングに対応する複数の前記上位ビット量子化記録情報を各前記チャンネル分含む上位ビット量子化記録情報ブロックと、前記量子化タイミングに対応する複数の前記下位ビット量子化記録情報を各前記チャンネル分含む下位ビット量子化記録情報ブロックとが構成されており、前記上位ビット量子化記録情報ブロックと前記下位ビット量子化記録情報ブロックとにより記録情報ブロックが構成されており、連続する複数の当該記録情報ブロックにより記録情報単位が構成されており、情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報と、前記構成された記録情報単位と、が多重された構造で記録されている情報記録領域を備える。
【００１３】
上記の課題を解決するために、請求項１９に記載の発明は、一つのストリームを構成する複数のチャンネルからなる記録情報を当該各チャンネル毎に８×ｎ（ｎは２以上の自然数）ビットで量子化した量子化記録情報が、当該各チャンネル毎に、上位の８×ｍ（ｍ＜ｎ、且つ、ｍは自然数）ビットの前記量子化記録情報である上位ビット量子化記録情報と、前記上位ビット量子化記録情報以外の前記量子化記録情報である下位ビット量子化記録情報とに分割されると共に、連続する量子化タイミングに対応する複数の前記上位ビット量子化記録情報を各前記チャンネル分含む上位ビット量子化記録情報ブロックと、前記連続する量子化タイミングに対応する複数の前記下位ビット量子化記録情報を各前記チャンネル分含む下位ビット量子化記録情報ブロックとが構成され、前記上位ビット量子化記録情報ブロックと前記下位ビット量子化記録情報ブロックとにより記録情報ブロックが構成されており、連続する複数の当該記録情報ブロックにより記録情報単位が構成されており、情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報と、前記構成された記録情報単位と、が多重されて記録されている前記情報記録媒体から前記記録情報を再生する再生装置であって、前記情報記録媒体から各前記チャンネル毎に前記多重記録情報を検出し、復調して復調信号として出力する検出復調手段と、前記復調信号から、前記上位ビット量子化記録情報ブロックのみを抽出する記録情報ブロック抽出手段と、前記抽出された上位ビット量子化記録情報ブロックに含まれる前記上位ビット量子化記録情報を再生処理して前記記録情報を出力する再生処理手段と、を備える。
【００１４】
じ上記の課題を解決するために、請求項２０に記載の発明は、一つのストリームを構成する複数のチャンネルからなる記録情報を当該各チャンネル毎に８×ｎ（ｎは２以上の自然数）ビットで量子化した量子化記録情報が、当該各チャンネル毎に、上位の８×ｍ（ｍ＜ｎ、且つ、ｍは自然数）ビットの前記量子化記録情報である上位ビット量子化記録情報と、前記上位ビット量子化記録情報以外の前記量子化記録情報である下位ビット量子化記録情報とに分割されると共に、連続する量子化タイミングに対応する複数の前記上位ビット量子化記録情報を各前記チャンネル分含む上位ビット量子化記録情報ブロックと、前記連続する量子化タイミングに対応する複数の前記下位ビット量子化記録情報を各前記チャンネル分含む下位ビット量子化記録情報ブロックとが構成され、前記上位ビット量子化記録情報ブロックと前記下位ビット量子化記録情報ブロックとにより記録情報ブロックが構成されており、連続する複数の当該記録情報ブロックにより記録情報単位が構成されており、情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報と、前記構成された記録情報単位と、が多重されて記録されている情報記録媒体から前記記録情報を再生する再生装置であって、前記情報記録媒体から各前記チャンネル毎に前記多重記録情報を検出し、復調して復調信号として出力する検出復調手段と、前記復調信号から、前記上位ビット量子化記録情報ブロック及び前記下位ビット量子化記録情報ブロックを抽出する記録情報ブロック抽出手段と、前記抽出された上位ビット量子化記録情報ブロック及び下位ビット量子化記録情報ブロックから前記上位ビット量子化記録情報及び当該上位ビット量子化記録情報に対応する前記下位ビット量子化記録情報を抽出する量子化記録情報抽出手段と、前記抽出された上位ビット量子化記録情報及び下位ビット量子化記録情報を合成すると共に再生処理して前記記録情報を出力する再生処理手段と、を備える。
【００１５】
上記の課題を解決するために、請求項２４に記載の発明は、一つのストリームを構成する複数のチャンネルからなる記録情報を当該各チャンネル毎に８×ｎ（ｎは２以上の自然数）ビットで量子化した量子化記録情報が、当該各チャンネル毎に、上位の８×ｍ（ｍ＜ｎ、且つ、ｍは自然数）ビットの前記量子化記録情報である上位ビット量子化記録情報と、前記上位ビット量子化記録情報以外の前記量子化記録情報である下位ビット量子化記録情報とに分割されると共に、連続する量子化タイミングに対応する複数の前記上位ビット量子化記録情報を各前記チャンネル分含む上位ビット量子化記録情報ブロックと、前記連続する量子化タイミングに対応する複数の前記下位ビット量子化記録情報を各前記チャンネル分含む下位ビット量子化記録情報ブロックとが構成され、前記上位ビット量子化記録情報ブロックと前記下位ビット量子化記録情報ブロックとにより記録情報ブロックが構成されており、連続する複数の当該記録情報ブロックにより記録情報単位が構成されており、情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報と、前記構成された記録情報単位と、が多重されて記録されている情報記録媒体から前記記録情報を再生する再生方法であって、前記情報記録媒体から各前記チャンネル毎に前記多重記録情報を検出し、復調して復調信号として出力する検出復調工程と、前記復調信号から、前記上位ビット量子化記録情報ブロックのみを抽出する記録情報ブロック抽出工程と、前記抽出された上位ビット量子化記録情報ブロックに含まれる前記上位ビット量子化記録情報を再生処理して前記記録情報を出力する再生処理工程と、を備える。
【００１６】
上記の課題を解決するために、請求項２５に記載の発明は、一つのストリームを構成する複数のチャンネルからなる記録情報を当該各チャンネル毎に８×ｎ（ｎは２以上の自然数）ビットで量子化した量子化記録情報が、当該各チャンネル毎に、上位の８×ｍ（ｍ＜ｎ、且つ、ｍは自然数）ビットの前記量子化記録情報である上位ビット量子化記録情報と、前記上位ビット量子化記録情報以外の前記量子化記録情報である下位ビット量子化記録情報とに分割されると共に、連続する量子化タイミングに対応する複数の前記上位ビット量子化記録情報を各前記チャンネル分含む上位ビット量子化記録情報ブロックと、前記連続する量子化タイミングに対応する複数の前記下位ビット量子化記録情報を各前記チャンネル分含む下位ビット量子化記録情報ブロックとが構成され、前記上位ビット量子化記録情報ブロックと下位ビット量子化記録情報ブロックとにより記録情報ブロックが構成されており、連続する複数の当該記録情報ブロックにより記録情報単位が構成されており、情報記録媒体上における前記上位ビット量子化記録情報の記録位置及び前記下位ビット量子化記録情報の記録位置、又は当該上位ビット量子化記録情報の記録位置のみ、のいずれか一方を算出するための付加情報と、前記構成された記録情報単位と、が多重されて記録されている情報記録媒体から前記記録情報を再生する再生方法であって、前記情報記録媒体から各前記チャンネル毎に前記多重記録情報を検出し、復調して復調信号として出力する検出復調工程と、前記復調信号から、前記上位ビット量子化記録情報ブロック及び前記下位ビット量子化記録情報ブロックを抽出する記録情報ブロック抽出工程と、前記抽出された上位ビット量子化記録情報ブロック及び下位ビット量子化記録情報ブロックから前記上位ビット量子化記録情報及び当該上位ビット量子化記録情報に対応する前記下位ビット量子化記録情報を抽出する量子化記録情報抽出工程と、前記抽出された上位ビット量子化記録情報及び下位ビット量子化記録情報を合成すると共に再生処理して前記記録情報を出力する再生処理工程と、を備える。
【発明を実施するための最良の形態】
【００１７】
次に、本願に好適な実施の形態について説明する。なお、以下に説明する実施の形態は、上記ＤＶＤに対して本発明を適用した実施の形態について説明するものである。
【００１８】
なお、以下の実施の形態においては、下記リストの左側に示した特許請求の範囲における各構成要素の一例が、下記リストの右側に示した要素から夫々構成されている。
【００１９】
上位ビット量子化記録情報…………：上位ビットデータ
下位ビット量子化記録情報…………：下位ビットデータ
上位ビット量子化記録情報ブロック：上位ビットデータブロック
下位ビット量子化記録情報ブロック：下位ビットデータブロック
（Ｉ）情報記録媒体の実施の形態
始めに、本願に対応する情報記録媒体の実施の一形態であるＤＶＤの物理的及び論理的な構成並びにその動作について、図１乃至図５を用いて説明する。
【００２０】
始めに、映像情報及び音声情報（音楽情報も含む。以下、同じ）のＤＶＤ上における記録フォーマット（物理的記録フォーマット）について、図１を用いて説明する。
【００２１】
図１に示すように、実施の形態のＤＶＤ１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ（Video Title Set）３（ＶＴＳ＃１乃至ＶＴＳ＃ｎ）に分割されて記録されている。ここで、ＶＴＳとは、関連する（それに含まれる音声情報及び副映像情報の数や、仕様、対応言語等の属性が同じ）タイトル（映画等の、製作者が視聴者に提示しようとする一つの作品）を一まとめにしたセット（まとまり）であり、より具体的には、例えば、一本の同じ映画について、異なる言語の台詞等を有する複数の映画が夫々にタイトルとして記録されたり、又は、同じ映画であっても劇場版と特別版とが夫々別のタイトルとして記録されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録されている。
【００２２】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００２３】
ＶＴＳ３の先頭に記録されるコントロールデータ１１には、複数のセル（セルについては後述する。）を組合わせた論理的区分であるプログラムチェインに関する種々の情報であるＰＧＣＩ（Program Chain Information）等の情報が記録される。また、各ＶＯＢ１０には、制御情報の他に映像情報及び音声情報の実体部分（制御情報以外の映像又は音声そのもの）が記録されている。
【００２４】
更に、一のＶＯＢ１０は、夫々にＩＤ番号を有する複数のセル２０により構成されている。ここで、一のＶＯＢ１０は、複数のセル２０により完結するように構成されており、一のセル２０が二つのＶＯＢ１０に跨がることはない。
【００２５】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）のいずれか又は後述のナビパックのみにより構成される一つの情報単位である。
【００２６】
そして、一のＶＯＢユニット３０は、ＶＯＢユニット３０に含まれている映像情報等を制御対象とする制御情報が格納されているナビパック４１と、映像情報としてのビデオデータ４２と、音声情報としてのオーディオデータ４３と、副映像情報としてのサブピクチャデータ４４とにより構成されている。ここで、ビデオデータ４２としては映像データが記録され、オーディオデータ４３としては音声データが記録される。また、サブピクチャデータ４４としては副映像としての文字や図形等のグラフィックデータが記録される。なお、ＤＶＤ１に記録可能な音声は８種類であり、記録可能な副映像の種類は３２種類であることが規格上定められている。
【００２７】
また、一のＶＯＢユニット３０に対応する再生時間（一のナビパック４１と当該一のナビパック４１に隣接するナビパック４１との間に記録されているデータに対応する再生時間）は、０．４秒以上の長さを有するように記録される。
【００２８】
更に、一のＶＯＢユニット３０において、ナビパック４１は必ずその先頭に存在するが、ビデオデータ４２、オーディオデータ４３及びサブピクチャデータ４４の夫々は、必ずしもＶＯＢユニット３０中に存在する必要はなく、また、存在する場合にもその数や順序は任意に設定することができる。
【００２９】
ここで、図１に示すビデオデータ４２、オーディオデータ４３及びサブピクチャデータ４４の夫々の区分を一般にパックＰという。すなわち、一のＶＯＢユニット３０においては、ビデオデータ４２、オーディオデータ４３及びサブピクチャデータ４４が、夫々パックＰに分割されて記録されていることとなり、ビデオデータ４２が記録されているパックＰをビデオパック、オーディオデータ４３が記録されているパックＰをオーディオパック、サブピクチャデータ４４が記録されているパックＰをサブピクチャパックという。そして、これらのパックＰは、本実施の形態のＤＶＤ１において用いられている後述のＭＰＥＧ２方式に基づいて設定される。更に、各パックＰの先頭に記録されるパックヘッダには、夫々のパックＰに含まれているデータを後述の再生装置におけるトラックバッファから読み出して夫々のバッファへの入力を開始すべき再生時間軸上の読み出し開始時刻を示すＳＣＲ（System Clock Reference）と呼ばれる読み出し開始時刻情報が記録される。また、上記各パックＰについては、通常、当該パックＰを更に細分化した記録単位であるパケット毎にビデオデータ４２、オーディオデータ４３又はサブピクチャデータ４４が記録されるが、本実施の形態におけるＤＶＤ１では、一般に一のパックＰが一のパケットにより構成されている。すなわち、オーディオデータ４３については、上記オーディオパックを更に細分化したオーディオパケット毎にオーディオデータ４３が記録され、一のオーディオパックが一のオーディオパケットから構成されていることとなる。
【００３０】
最後に、ナビパック４１は、再生表示させたい映像又は音声等を検索するための検索情報（具体的には、当該再生表示させたい映像又は音声等が記録されているＤＶＤ１上のアドレス等）であるＤＳＩ（Data Search Information）データ５１と、ＤＳＩデータ５１に基づいて検索された映像又は音声を再生表示する際の再生表示制御に関する情報であるＰＣＩ（Presentation Control Information）データ５０とにより構成される。このとき、ＤＳＩデータ５１及びＰＣＩデータ５０は夫々パケットＰＴとしてのＤＳＩパケット及びＰＣＩパケットを構成して記録されることとなる。
【００３１】
更に、一のＶＯＢユニット３０に含まれている全てのビデオデータ４２は、一又は複数のＧＯＰ（Group Of Picture）により構成されている。
【００３２】
なお、ＰＣＩデータ５０には、視聴者によって選択される選択項目に対して、その項目が選択されたときの表示制御や動作を定義したハイライト情報が含まれている。このハイライト情報によって、例えば、視聴者が選択すべき項目を表示した画像（いわゆるメニュー画面）における、項目選択に対する画面表示の変化や、当該選択に対応して変化すべき表示位置及び選択された項目に対するコマンド（選択された項目に対して実行される動作を示す命令）の設定が行われる。
【００３３】
更に、メニュー画面を構成して表示するために必要な、枠、選択ボタン等を表示するための画像情報は、上記の副映像情報であるサブピクチャデータ４４として記録される。
【００３４】
また、ハイライト情報内に、後述の再生装置におけるシステムコントローラ内のレジスタ（メモリ）の値を設定するための情報を含ませることもできる。この点について、例えば、ＤＶＤ１に記録されている記録情報が教育用ソフトウェアである場合を用いて説明すると、教育用ソフトウェアにおいては、テスト問題を表示部に表示し、次に複数個の解答候補を視聴者が選択する選択項目としてサブピクチャデータ４４を用いて表示する場合がある。このとき、ハイライト情報には個々の選択項目に対応するコマンド情報が含まれており、問題の正解に対応する選択項目が視聴者により選択された場合に、システムコントローラは、当該選択項目に対応するハイライト情報内のコマンド情報により、当該システムコントローラに含まれる所定のレジスタに正解に対応する所定の得点を加算し、不正解の選択項目が選択された場合には得点の加算を行わないようにする。以下、同様に所定数の問題について出題と解答を繰返し、全ての解答終了後に、システムコントローラは、他のコマンド情報（例えば、ＰＧＣＩ内のコマンド情報）により、得点を累積した上記所定のレジスタを参照し、得点が予め設定されている所定の値より大きければ次の学習段階の問題等が記録されているＤＶＤ１上の記録位置にピックアップをジャンプさせ、反対に得点が所定の値より小さければ復習のソフトウェアが記録されている記録位置にピックアップをジャンプさせることを行う。以上の例のように、ハイライト情報によりシステムコントローラ内のレジスタを設定することも可能なのである。
【００３５】
一方、上記ＧＯＰは、本実施の形態におけるＤＶＤ１に映像情報を記録する際に採用されている画像圧縮方式であるＭＰＥＧ２（Moving Picture Experts Group ２）方式の規格において定められている単独で再生可能な最小の画像単位である。
【００３６】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算により生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００３７】
更に、上記ＧＯＰについて図２を用いてその概要を説明する。なお図２は、一のＧＯＰを構成する複数のフレーム画像の例を示している。図２では、一のＧＯＰ５２が１２枚のフレーム画像から構成されている場合（ＭＰＥＧ２方式では、一のＧＯＰ５２に含まれるフレーム画像数は一定ではない。）を示しているが、この内、符号「Ｉ」で示されるフレーム画像は、Ｉピクチャ（Intra-coded picture：イントラ符号化画像）と呼ばれ、自らの画像のみで完全なフレーム画像を再生することができるフレーム画像をいう。また、符号「Ｐ」で示されるフレーム画像は、Ｐピクチャ（Predictive-codedpicture：前方予測符号化画像）と呼ばれ、既に復号化されたＩピクチャ又は他のＰピクチャに基づいて補償再生された予測画像との差を復号化する等して生成された予測画像である。また、符号「Ｂ」で示されるフレーム画像は、Ｂピクチャ（Bidirectionallypredictive-coded picture：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。図２においては、各ピクチャ間の予測関係（補間関係）を矢印で示している。
【００３８】
なお、本実施の形態に係るＤＶＤ１で用いられているＭＰＥＧ２方式においては、夫々のＧＯＰ５２に含まれるデータ量が一定でない可変レート方式を採用している。すなわち、一のＧＯＰ５２に含まれる各ピクチャが、動きの速い動画に対応しており、各ピクチャ間の相関関係が小さい場合には、各ピクチャを構成するためのデータ量が多くなり、従って、一のＧＯＰ５２に含まれるデータ量も多くなる。一方、一のＧＯＰ５２に含まれる各ピクチャが、あまり動きのない動画に対応しており、各ピクチャ間の相関関係が大きい場合には、各ピクチャを構成するためのデータ量も少なくなり、一のＧＯＰ５２に含まれるデータ量も少なくなることとなる。
【００３９】
次に、本発明の特徴であるＤＶＤ１におけるオーディオデータ４３について説明する。
【００４０】
ＤＶＤ１におけるオーディオデータ４３としては、圧縮されたオーディオデータが記録される場合と、圧縮されていないオーディオデータが記録される場合があるが、このうち、圧縮されていないオーディオデータとしては、リニアＰＣＭ（Pulse Code Modulation）と呼ばれる方式で符号化されたオーディオデータ４３が記録される。このリニアＰＣＭ方式のオーディオデータ４３をＤＶＤ１に記録する場合の物理構造について、図３を用いて説明する。なお、本実施の形態におけるリニアＰＣＭ方式のオーディオデータ４３は、２４ビットの量子化ビット数により量子化されている。
【００４１】
図３に示すように、リニアＰＣＭ方式のオーディオデータ４３をＤＶＤ１に記録する際には、一のオーディオデータ４３（以下、オーディオパックＡＰという。）は、オーディオパックＡＰの開始であることを示すスタートコード及び上記ＳＣＲ等を含むパックヘッダ６４を先頭に当該オーディオパックＡＰに含まれているデータがオーディオデータ４３であることを示す識別情報を含むパケットヘッダ６５と、当該オーディオパックＡＰに含まれているオーディオデータ４３に関する情報である付加情報ＡＤと、当該オーディオパックＡＰに含まれているオーディオデータ４３を一定の再生時間（例えば、１／６００秒）に対応するオーディオデータ４３毎に区分した再生単位である複数のオーディオフレームＡＦにより構成されている。ここで、付加情報ＡＤとしては、オーディオデータ４３をリニアＰＣＭ方式で量子化する際の量子化ビット数（本実施の形態では２４ビット）、その際のサンプリング周波数及び当該オーディオデータ４３に含まれているチャネル数等の情報が記述される。ここで、オーディオデータ４３に含まれているチャネル数とは、一のスピーカから出力されるべきオーディオデータ４３により一のチャネルを構成するものであり、より具体的には、通常の左と右の二つのスピーカから再生されるべきオーディオデータ４３のみを含む場合には、チャネル数は「２」であり、いわゆるサラウンド効果を有するオーディオデータ４３が記録される場合には、スピーカの数分の、例えば４チャネル等とされる。
【００４２】
そして、一のオーディオフレームＡＦは、上記一定の再生時間に対応するオーディオデータ４３により以下に示すような形態で構成されている。
【００４３】
すなわち、一の量子化タイミングにおいて２４ビットで量子化されている各チャネル毎のオーディオデータ４３のうち、夫々の上位１６ビットのオーディオデータ４３である上位ビットデータ６６を二つ含む一の上位データブロックＵＢと、夫々の下位８ビットのオーディオデータ４３である下位ビットデータ６７を二つ含む一の下位データブロックＤＢとにより一のサンプルブロックＳＰＢを構成し、当該サンプルブロックＳＰＢを上記一定の再生時間に対応する数だけ連結して一のオーディオフレームＡＦを構成する。
【００４４】
更に、上位データブロックＵＢに含まれる二つの上位ビットデータ６６は、リニアＰＣＭの量子化における量子化タイミングのうち、偶数番目に対応する量子化タイミングにおいて量子化された１６ビットの上位ビットデータ６６Ａ（図３中「Ｓ２ｎ」で示す。）と、奇数番目に対応する量子化タイミングにおいて量子化された１６ビットの上位ビットデータ６６Ｂ（図３中「Ｓ２ｎ＋１」で示す。）とが含まれている。
【００４５】
また、下位データブロックＤＢに含まれる二つの下位ビットデータ６７は、リニアＰＣＭの量子化における量子化タイミングのうち、上位ビットデータ６６Ａが生成された量子化タイミングである偶数番目に対応する量子化タイミングにおいて量子化された８ビットの下位ビットデータ６７Ａ（図３中「ｅ２ｎ」で示す。）と、上位ビットデータ６６Ｂが生成された量子化タイミングである奇数番目に対応する量子化タイミングにおいて量子化された８ビットの下位ビットデータ６７Ｂ（図３中「ｅ２ｎ＋１」で示す。）とが含まれている。なお、図３において、夫々の上位ビットデータ６６及び下位ビットデータ６７内の括弧内の数は夫々のデータのビット数を示している。
【００４６】
ここで、上記の上位ビットデータ６６Ａと下位ビットデータ６７Ａとが、偶数番目に対応する一の量子化タイミングにおいて量子化された２４ビットのオーディオデータ４３を構成し、更に、上記の上位ビットデータ６６Ｂと下位ビットデータ６７Ｂとが、奇数番目に対応する一の量子化タイミングにおいて量子化された２４ビットのオーディオデータ４３を構成する。従って、上位ビットデータ６６Ａと下位ビットデータ６７Ａの双方を再生時に組合わせて再生すれば、元の２４ビットで量子化されたオーディオデータ４３を再生することができ、同様に、上位ビットデータ６６Ｂと下位ビットデータ６７Ｂの双方を再生時に組合わせて再生すれば、元の２４ビットで量子化されたオーディオデータ４３を再生することとができるのである。
【００４７】
更に、夫々の上位ビットデータ６６及び下位ビットデータ６７は、夫々に各チャネル毎のチャネル上位ビットデータ６８とチャネル下位ビットデータ６９とにより構成されている。なお、図３には、チャネルとして「Ａ」乃至「Ｄ」の４つのチャネルを含んでいる状態を示しており、夫々のチャネル上位ビットデータ６８又はチャネル下位ビットデータ６９内の括弧内の数は夫々のデータのビット数を示している。
【００４８】
なお、本発明に係る後述の再生装置において、オーディオデコーダが１６ビットに対応する処理能力しか有していない場合には、各チャネル下位ビットデータ６９は再生されない。この場合に、各チャネル下位ビットデータ６９に含まれているオーディオデータ４３は、それが再生されなくても聴感上問題がない程度の量子化ビット幅に対応するオーディオデータであるので、それが再生時に再生されなくても聴感上大きな問題はない（因みに、従来から知られているＣＤにおける量子化ビット数は１６ビットであり、本実施の形態のＤＶＤ１においては、ＣＤより更に高音質のオーディオデータ４３を記録するため、量子化ビット数が最大で２４ビットとされているのである。）。
【００４９】
以上説明した図１に示す階層構造の記録フォーマットにおいて、夫々の区分は、ＤＶＤ１内に記録させる記録情報の製作者（以下、単に製作者という。）がその意図に応じて自在に区分設定をして記録させるものである。これらの区分毎に後述の論理構造に基づいて再生することにより、変化に富んだ種々の再生が可能となるのである。
【００５０】
次に、図１に示す物理的な区分により記録された情報を組合わせた論理的フォーマット（論理構造）について図４を用いて説明する。なお、図４に示す論理構造は、その構造で実際にＤＶＤ１上に情報が記録されているのではなく、図４に示す論理構造で図１に示す各データ（特にセル２０）を組合わせて再生するための情報（アクセス情報又は時間情報等）がＤＶＤ１上の、特にコントロールデータ１１の中に記録されているものである。
【００５１】
説明の明確化のために、図４の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが区分を識別してコマンドによってアクセスできる最小の論理的単位でもある。なお、このプログラム６０を一又は複数個纏めたものを視聴者が自由に選択して視聴することができる最小単位として製作者が定義することもでき、この単位をＰＴＴ（Part Of Title）という。
【００５２】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを製作者が行うことも可能となっている。
【００５３】
ここで、一のセル２０の番号については、当該セル２０を図１に示す物理フォーマットにおいて取り扱う際にはセルＩＤ番号として扱われ（図１中、セルＩＤ＃と示す。）、図４に示す論理フォーマットにおいて取り扱う際には後述のＰＧＣＩ中の記述順にセル番号として扱われる。
【００５４】
次に、複数のプログラム６０を組合わせて一のＰＧＣ（Program Chain）６１が製作者の意図に基づいて論理上構成される。このＰＧＣ６１の単位で、前述したＰＧＣＩが定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、各プログラム６０の再生方式［本実施の形態のＤＶＤ１に情報を記録する際には、再生時において、ランダム再生（乱数によるランダム再生であり、同じプログラム６０が複数回再生されることがある。）、シャッフル再生（ランダム再生と同様の乱数によるランダム再生であるが、同じプログラム６０は一度しか再生されず、同じプログラム６０が複数回再生されることはない。）又はループ再生（一つのＰＧＣ６１を何度も再生すること。）のうち、いずれか一つ、又はループ再生とランダム再生又はシャッフル再生の組合わせによる再生方法をＰＧＣ６１毎に製作者が選択して再生させるようにすることができる。］及び各種コマンド（ＰＧＣ６１又はセル２０毎に製作者が指定可能なコマンド）が含まれている。なお、ＰＧＣＩのＤＶＤ１上の記録位置は、上述の通りコントロールデータ１１（図１参照）内であるが、当該ＰＧＣＩがビデオマネージャ２内のメニューに関するＰＧＣＩである場合には、当該ＰＧＣＩの記録位置は、ビデオマネージャ２に含まれるコントロールデータ（図示を省略する。）内である。
【００５５】
また、一のＰＧＣ６１には、上記ＰＧＣＩの他に、実体的な映像及び音声等のデータがプログラム６０の組合わせとして（換言すれば、セル２０の組合わせとして）含まれることとなる。
【００５６】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記憶されている順番にセル２０を再生する方法（連続配置セルの再生）の他に、ＤＶＤ１に記憶されている順序に関係なく再生する（例えば、後に記録されているセル２０を先に再生する等）方法（非連続配置セルの再生）を製作者が選択することができる。
【００５７】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００５８】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。
【００５９】
また、図４に示す一のＶＴＳ６３に相当する情報は、図１に示す一のＶＴＳ３に含まれている情報に対応している。すなわち、ＤＶＤ１には、図４に示すＶＴＳ６３内に論理上含まれる全ての情報が一のＶＴＳ３として纏めて記録されていることとなる。
【００６０】
以上説明した論理フォーマットに基づいて、物理構造において区分された情報を製作者が指定することにより、視聴者が見るべき映像（映画等）が形成されるのである。
【００６１】
なお、図１に示す物理構造の説明においては、内容の理解の容易化のため、複数のセル２０がＩＤ番号の順に記録されているとして説明したが、実施の形態のＤＶＤ１においては、実際には、一のセル２０が図５に示す複数のインターリーブドユニットＩＵに分割されて記録される場合がある。
【００６２】
すなわち、例えば図５に示すように、製作者が一のＰＧＣ６１ＡをＩＤ番号１、２及び４を有するセル２０により構成し、他のＰＧＣ６１ＢをＩＤ番号１、３及び４を有するセル２０により構成する場合を考えると、当該ＰＧＣ６１Ａに基づいてＤＶＤ１から情報を再生する際には、ＩＤ番号１、２及び４を有するセル２０のみを再生し、ＰＧＣ６１Ｂに基づいてＤＶＤ１から情報を再生する際には、ＩＤ番号１、３及び４を有するセル２０のみを再生することとなる。この場合に、セル２０がＩＤ番号毎に纏められて相互に分離して記録されていると、例えば、ＰＧＣ６１Ａの場合には、ＩＤ番号２のセル２０のＤＶＤ１上の記録位置からＩＤ番号４のセル２０のＤＶＤ１上の記録位置まで、再生のためのピックアップをジャンプする時間が必要となり、後述の再生装置におけるトラックバッファの容量によっては、ＩＤ番号２のセル２０とＩＤ番号４のセル２０を連続的に再生すること（以下、これをシームレス再生という。）ができなくなる。
【００６３】
そこで、図５に示す場合には、ＩＤ番号２のセル２０とＩＤ番号３のセル２０を、後述の再生装置におけるトラックバッファにおける入出力処理の速度に対応して、一時的に入力信号の入力が停止しても、出力信号の連続性が損なわれない長さのインターリーブドユニットＩＵ（すなわち、一のインターリーブドユニットＩＵの間だけ再生装置におけるピックアップがジャンプすることによりトラックバッファへの入力信号が途絶えても、当該トラックバッファからの出力信号を連続的に出力可能な長さのインターリーブドユニットＩＵ）に夫々分解して記録し、例えば、ＰＧＣ６１Ａに基づいて再生する場合には、ＩＤ番号２に対応するセル２０を構成するインターリーブドユニットＩＵのみを連続して検出し、再生することが行われる。同様に、ＰＧＣ６１Ｂに基づいて再生する場合には、ＩＤ番号３に対応するセル２０を構成するインターリーブドユニットＩＵのみを連続して検出し、再生するのである。なお、インターリーブドユニットＩＵの長さは、上述のように、トラックバッファの容量を勘案して決定される他に、トラックジャンプを行うためのスライダモータ等の駆動機構の性能をも加味して決定される場合がある。
【００６４】
このように、製作者の意図によって、一のセル２０を複数のインターリーブドユニットＩＵに分割して記録しておくことにより、飛び飛びのＩＤ番号のセル２０を含むＰＧＣ６１を再生する際にも、トラックバッファから出力される信号は途切れることはなく、従って、視聴者は中断することのない再生映像を視聴することができるのである。
【００６５】
なお、上記インターリーブドユニットＩＵを形成する際には、一のＶＯＢ１０内で完結するように形成され、一のインターリーブドユニットＩＵが隣り合う複数のＶＯＢ１０に跨がることはない。また、インターリーブドユニットＩＵとＶＯＢユニット３０との関係については、一のインターリーブドユニットＩＵ内に一又は複数のＶＯＢユニット３０が含まれ、一のインターリーブドユニットＩＵ内においては一のＶＯＢユニット３０が完結するように構成されており、一のＶＯＢユニット３０が分割されて複数のインターリーブドユニットＩＵに跨がることはない。
【００６６】
以上説明したような種々の階層の情報を記録する必要があるため、上述の記録フォーマットを有する記録情報は、上記ＤＶＤ１のように、一本の映画を記録する他に、当該映画に対応する音声又は字幕等について、複数種類の言語の音声又は字幕をも同一の光ディスクに記録することが可能な大きな記憶容量を有する情報記録媒体に特に適している。
【００６７】
（II）記録装置の実施の形態
次に、上述の制御情報、映像情報及び音声情報をＤＶＤ１に記録するための本願に対応する記録装置の実施の形態について、図６及び図７を用いて説明する。
【００６８】
図６に示すように、実施の形態に係る記録装置Ｓ1は、ＶＴＲ（Video Tape Recorder）７０と、メモリ７１と、信号処理部７２と、ハードディスク装置７３及び７４と、コントローラ７５と、多重器７６と、変調器７７と、記録手段としてのマスタリング装置７８とにより構成されている。
【００６９】
また、図７に示すように、信号処理部７２は、処理部７２Ａと、量子化手段としての量子化部７２Ｂと、分割部７２Ｃ及び分割手段としての分割部７２Ｄと、多重記録情報生成手段としての多重部７２Ｅと、多重部７２Ｆと、制御情報生成部７２Ｇとにより構成されている。
【００７０】
次に、動作を説明する。
【００７１】
ＶＴＲ７０には、ＤＶＤ１に記録すべき音声情報や映像情報等の素材である記録情報Ｒが夫々の情報毎に一時的に記録されている。そして、ＶＴＲ７０に一時的に記録された記録情報Ｒは、信号処理部７２からの要求により音声情報又は映像情報毎に当該信号処理部７２に出力される。
【００７２】
信号処理部７２における処理部７２Ａは、入力された映像情報をＡ／Ｄ変換した後、ＭＰＥＧ２方式を用いて圧縮処理し、ＧＯＰ５２により構成される処理映像信号Ｓrvを出力する。そして、分割部７２Ｃは、ＶＴＲ７０から出力される上記記録情報Ｒに対応したタイムコードＴtに基づいて、処理映像信号Ｓrvをビデオパック（図１参照）に分割し、分割処理映像信号Ｓrvpを出力する。
【００７３】
一方、信号処理部７２における量子化部７２Ｂは、入力された音声情報を２４ビットの量子化ビット数によるリニアＰＣＭ方式で量子化して量子化音信号Ｓraを出力する。
【００７４】
そして、分割部７２Ｄは、量子化音信号Ｓraに含まれている各量子化タイミングにおいて量子化された２４ビットのオーディオデータ４３を、当該量子化タイミング毎に上位１６ビットの上位ビットデータ６６と下位８ビットの下位ビットデータ６７とに分割し、分割量子化音信号Ｓrapを出力する。このとき、分割量子化音信号Ｓrap中の上位ビットデータ６６には各チャネル毎の１６ビットのチャネル上位ビットデータ６８が含まれており、更に、分割量子化音信号Ｓrap中の下位ビットデータ６７には各チャネル毎の８ビットのチャネル下位ビットデータ６９が含まれている（図３参照）。
【００７５】
次に、多重部７２Ｅは、出力された分割量子化音信号Ｓrapに含まれる各量子化タイミングに対応する上位ビットデータ６６及び下位ビットデータ６７から、偶数番目の量子化タイミングに対応する上位ビットデータ６６Ａと奇数番目の量子化タイミングに対応する上位ビットデータ６６Ｂとを抽出し、これらにより上位ビットデータブロックＵＢを構成するように当該上位ビットデータ６６Ａと上位ビットデータ６６Ｂとを多重すると共に、上位ビットデータ６６Ａが生成された量子化タイミングである偶数番目の量子化タイミングに対応する下位ビットデータ６７Ａと上位ビットデータ６６Ｂが生成された量子化タイミングである奇数番目の量子化タイミングに対応する下位ビットデータ６７Ｂとを抽出し、これらにより下位ビットデータブロックＤＢを構成するように当該下位ビットデータ６７Ａと下位ビットデータ６７Ｂとを多重する。更に、多重部７２Ｅは、上記構成された上位ビットデータブロックＵＢを一時的に記憶し、必要に応じて読み出すことにより、上位ビットデータブロックＵＢと下位ビットデータブロックＤＢとが隣接するように当該上位ビットデータブロックＵＢと下位ビットデータブロックＤＢとを多重してサンプルブロックＳＰＢを構成し、所定の再生時間（１／６００秒）に対応する所定数のサンプルブロックＳＰＢを一纏まりとしてオーディオフレームＡＦを構成し、多重量子化音信号Ｓrappとして出力する。
【００７６】
なお、オーディオフレームＡＦが構成された後に、後述の制御信号Ｓiに含まれている上記付加情報ＡＤがパックヘッダ６４及びパケットヘッダ６５と共に上記所定数のサンプルブロックＳＰＢ毎に多重されることにより、図３に示す一のオーディオパックＡＰが構成されており、上記多重量子化音信号Ｓrappは複数のオーディオパックＡＰを含んでいることとなる。
【００７７】
そして、多重部７２Ｆにおいて、タイムコードＴtに基づき、分割部７２Ｃから出力されたビデオパックを含む分割処理映像信号Ｓrvpと多重部７２Ｅから出力されたオーディオパックＡＰを含む多重量子化音信号Ｓrappとが各パック毎に多重され、圧縮多重信号Ｓrとして出力される。その後、出力された圧縮多重信号Ｓrは、ハードディスク装置７３に一時的に記憶される。この圧縮多重信号Ｓrにおいては、図１又は図３最上段に示すように、ビデオパックとオーディオパックＡＰとがパック毎に多重された状態となっている。
【００７８】
これらと並行して、メモリ７１は、上記記録情報Ｒの再生を制御するための制御情報（図１における、ビデオマネージャ２、コントロールデータ１１並びにＰＣＩデータ５０及びＤＳＩデータ５１を含むナビパック４１等）が記載されたキューシートＳＴに基づき予め入力された当該制御情報を一時的に記憶し、信号処理部７２に含まれる制御情報生成部７２Ｇからの要求に基づいて制御情報信号Ｓiとして出力する。この制御情報信号Ｓiに含まれる付加情報ＡＤは、上述の如く、多重部７２Ｅに出力される。
【００７９】
そして、制御情報生成部７２Ｇは、上記タイムコードＴt及びメモリ７１から出力される制御情報信号Ｓiに基づき、タイムコードＴtを参照して制御情報からＰＣＩデータ５０及びＤＳＩデータ５１を分離し、対応するＰＣＩ情報信号Ｓpci及びＤＳＩ情報信号Ｓdsiとして出力し、当該ＰＣＩ情報信号Ｓpci及びＤＳＩ情報信号Ｓdsiがハードディスク装置７４に一時的に記憶される。このとき、ＰＣＩデータ５０及びＤＳＩデータ５１以外の他の制御情報については、図６及び図７においては図示を省略しているが、ＰＣＩデータ５０及びＤＳＩデータ５１と同様に制御情報生成部７２Ｆにおいて夫々に分離され、ハードディスク装置７４に記憶される。
【００８０】
以上の処理が記録情報Ｒ全体について実行される。
【００８１】
記録情報Ｒの全てについて上記の処理が終了すると、コントローラ７５は、ハードディスク装置７３から圧縮多重信号Ｓrを読み出すとともにハードディスク装置７４からＰＣＩ情報信号Ｓpci及びＤＳＩ情報信号Ｓdsi並びにその他の制御情報を読み出し、これらに基づいてＰＣＩデータ５０及びＤＳＩデータ５１並びにその他の制御信号を夫々独立に含む付加情報を生成し、ハードディスク装置７４に一時的に再記録する。これは、各制御情報の中には、圧縮多重信号Ｓrの生成結果によって内容が定まるものがあるからである。
【００８２】
一方、コントローラ７５は、上記信号処理部７２、ハードディスク装置７３及び７４の夫々の動作の時間管理を行い、ＰＣＩ情報信号Ｓpci及びＤＳＩ情報信号Ｓdsiを含む付加情報に対応する付加情報信号Ｓaをハードディスク装置７４から読み出して出力すると共に、圧縮多重信号Ｓrと付加情報信号Ｓaを時間軸多重するための情報選択信号Ｓccを生成して出力する。
【００８３】
その後、圧縮多重信号Ｓrと付加情報信号Ｓaは、コントローラ７５からの情報選択信号Ｓccに基づき、ハードディスク装置７３又は７４から読み出され、多重器７６により時間軸多重されて情報付加圧縮多重信号Ｓapとして出力される。この情報付加圧縮多重信号Ｓapの段階では、記録すべき情報は、コントローラ７５の情報選択信号Ｓccを用いた切り換え動作によって制御情報と映像情報及び音声情報とが合成され、図１又は図３最上段に示す物理構造（物理フォーマット）となっている。そして、ＰＣＩデータ５０及びＤＳＩデータ５１については、他の制御情報と独立してナビパック４１に含まれていることとなる。
【００８４】
なお、記録すべき情報の中に副映像情報が含まれている場合には、図示しない他のハードディスク装置から読み出されて信号処理部７２に入力され、映像情報及び音声情報と同様に信号処理され、情報付加圧縮多重信号Ｓapに含まれる。
【００８５】
その後、変調器７７は、出力された情報付加圧縮多重信号Ｓapに対してリードソロモン符号等のエラー訂正コード（ＥＣＣ）の付加及び８−１６変調等の変調を施してディスク記録信号Ｓmを生成し、マスタリング装置７８に出力する。
【００８６】
最後に、マスタリング装置７８は、当該ディスク記録信号Ｓmを光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【００８７】
以上説明したように、実施の形態の記録装置Ｓ1によれば、２４ビットで量子化されたオーディオデータ４３が、上位１６ビットの上位ビットデータ６６と下位８ビットの下位ビットデータ６７とに分割され、連続する量子化タイミングに対応する二つずつの上位ビットデータ６６及び下位ビットデータ６７により夫々上位ビットデータブロックＵＢ及び下位ビットデータブロックＤＢが構成されてＤＶＤ１に記録されるので、オーディオデータ４３の再生時において、オーディオデコーダが１６ビットの処理能力しか有しないときは、上記上位ビットデータブロックＵＢのみを抽出してそれに含まれる上位ビットデータ６６をＤ／Ａ変換して再生することができる。
【００８８】
また、オーディオデコーダが２４ビットのＤ／Ａ変換処理が可能であるときは、上位ビットデータ６６及び下位ビットデータ６７を抽出して対応する上位ビットデータ６６と下位ビットデータ６７を対としてＤ／Ａ変換することができる。  更に、上位ビットデータ６６及び下位ビットデータ６７が共に８の倍数のビット数を有しているので、８ビットのディジタル信号処理において処理を簡略化できる。
【００８９】
更にまた、偶数番目の量子化タイミングに対応する上位ビットデータ６６Ａと奇数番目の量子化タイミングに対応する上位ビットデータ６６Ｂとにより上位ビットデータブロックＵＢが構成され、偶数番目の量子化タイミングに対応する下位ビットデータ６７Ａと奇数番目の量子化タイミングに対応する下位ビットデータ６７Ｂとにより下位ビットデータブロックＤＢが構成されて記録されるので、再生装置のオーディオデコーダにおいて２４ビットのＤ／Ａ変換処理が可能であるときは、Ｄ／Ａ変換処理において上位ビットデータ６６と下位ビットデータ６７を合成するとき必要なメモリの容量を低減できる。
【００９０】
また、オーディオデータ４３に含まれるチャネル数によらず、上位ビットデータブロックＵＢと下位ビットデータブロックＤＢが共に１６ビットの整数倍の大きさとなるので、ディジタル信号処理がいっそう容易なものとなる。
【００９１】
（III）再生装置の実施の形態
次に、上記の記録装置Ｓ1によりＤＶＤ１に記録された記録情報を再生するための本願に対応する再生装置の実施の形態を、図８乃至図１０を用いて説明する。
【００９２】
図８に示すように、実施の形態に係る再生装置Ｓ2は、検出復調手段としてのピックアップ８０と、検出復調手段としての復調訂正部８１と、ストリームスイッチ８２及び８４と、トラックバッファ８３と、システムバッファ８５と、デマルチプレクサ８６と、ＶＢＶ（Video Buffer Verifier）バッファ８７と、ビデオデコーダ８８と、サブピクチャバッファ８９と、サブピクチャデコーダ９０と、混合器９１と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、システムコントローラ１００と、ドライブコントローラ１０１と、スピンドルモータ１０２と、スライダモータ１０３とにより構成されている。なお、図８に示す構成は、再生装置Ｓ2の構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【００９３】
次に、全体動作を説明する。
【００９４】
ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピット（ＤＶＤ１においては、情報ピットを形成することにより上記記録情報が記録されている。）に対応する検出信号Ｓpを出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【００９５】
ピックアップ８０から出力された検出信号Ｓpは、復調訂正部８１に入力され、復調処理及び誤り訂正処理が行われて復調信号Ｓdmが生成され、ストリームスイッチ８２及びシステムバッファ８５に出力される。
【００９６】
復調信号Ｓdmが入力されたストリームスイッチ８２は、ドライブコントローラ１０１からのスイッチ信号Ｓsw1によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【００９７】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等に、上記のシームレス再生におけるトラックジャンプに起因して不連続に入力される復調信号Ｓdmを連続的に出力し、当該不連続による再生の中断を解消するためのものである。
【００９８】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2により開閉が制御される。
【００９９】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報（ビデオマネージャ２等）又はＶＴＳ３毎のコントロールデータ１１を蓄積して制御情報Ｓcとしてシステムコントローラ１００に出力すると共に、再生中にナビパック４１毎のＤＳＩデータ５１を一時的に蓄積し、システムコントローラ１００に制御情報Ｓcとして出力する。  ストリームスイッチ８４を介して復調信号Ｓdmが連続的に入力されたデマルチプレクサ８６においては、当該復調信号Ｓdmから各パック毎にビデオデータ４２、オーディオデータ４３、サブピクチャデータ４４及びナビパック４１毎のＰＣＩデータ５０を抽出し、ビデオ信号Ｓv、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、オーディオデータ４３又はサブピクチャデータ４４として複数の言語が別々のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【０１００】
このとき、デマルチプレクサ８６は、各パック（オーディオパックＡＰを含む。）及びパケットからパックヘッダ及びパケットヘッダを抽出し、夫々に含まれる情報をヘッダ信号Ｓhdとしてシステムコントローラ１００に出力する。
【０１０１】
また、オーディオ信号Ｓadには、図３に示す形態のオーディオパックＡＰに分割されたオーディオデータ４３が含まれており、各オーディオパックＡＰには、図３に示す付加情報ＡＤ及び複数のサンプルブロックＳＰＢが含まれている。
【０１０２】
ビデオ信号Ｓvが入力されるＶＢＶバッファ８７は、ＦＩＦＯメモリ等により構成され、ビデオ信号Ｓvを一時的に蓄積し、ビデオデコーダ８８に出力する。ＶＢＶバッファ８７は、ＭＰＥＧ２方式により圧縮されているビデオ信号Ｓvにおける各ピクチャ（図２参照）毎のデータ量のばらつきを補償するためのものである。そして、データ量のばらつきが補償されたビデオ信号Ｓvがビデオデコーダ８８に入力され、ＭＰＥＧ２方式により復調が行われて復調ビデオ信号Ｓvdとして混合器９１に出力される。
【０１０３】
一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれるサブピクチャデータ４４を、当該サブピクチャデータ４４に対応するビデオデータ４２と同期して出力するためのものである。そして、ビデオデータ４２との同期が取られた副映像信号Ｓspがサブピクチャデコーダ９０に入力され、復調が行われて復調副映像信号Ｓspdとして混合器９１に出力される。
【０１０４】
なお、副映像信号Ｓspが、上記メニュー画面を構成して表示するために必要な、枠、選択ボタン等を構成するための映像情報を含んでいる場合には、システムコントローラ１００からのハイライト制御信号Ｓchに基づき、表示すべき選択ボタン等の表示状態の変更を行って出力する。
【０１０５】
ビデオデコーダ８８から出力された復調ビデオ信号Ｓvd及びサブピクチャデコーダ９０から出力された復調副映像信号Ｓspd（対応する復調ビデオ信号Ｓvdとの同期が取れている。）は、混合器９１により混合され、最終的な表示すべき映像信号Ｓvpとして図示しないＣＲＴ（Cathode Ray Tube）等の表示部に出力される。
【０１０６】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、Ｄ／Ａ変換等の所定のデコードが施されて復調オーディオ信号Ｓaddとして図示しないスピーカ等に出力される。
【０１０７】
また、所望の情報へのアクセス直後の再生等において一時的に音声を中断する（ポーズする）必要があることが検出された場合には、システムコントローラ１００からポーズ信号Ｓcaがオーディオデコーダ９３に出力され、当該オーディオデコーダ９３において一時的に復調オーディオ信号Ｓaddの出力を停止する。このオーディオデコーダ９３における処理については、後ほど、当該オーディオデコーダ９３が２４ビットのＤ／Ａ変換能力を有する場合と１６ビットのＤ／Ａ変換能力しか有しない場合とに分けて詳説する。
【０１０８】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩデータ５０と当該ＰＣＩデータ５０が対応するビデオデータ４２、オーディオデータ４３又はサブピクチャデータ４４等とを同期させ、当該ビデオデータ４２、オーディオデータ４３又はサブピクチャデータ４４等にＰＣＩデータ５０を適用させるためのものである。そして、ＰＣＩバッファ９４により対応するビデオデータ４２、オーディオデータ４３又はサブピクチャデータ４４等と同期したＰＣＩ信号Ｓpcは、ＰＣＩデコーダ９５によりＰＣＩデータ５０に含まれるハイライト情報が分離され、ハイライト信号Ｓhiとしてハイライトバッファ９６に出力されると共に、ＰＣＩデータ５０のハイライト情報以外の部分がＰＣＩ情報信号Ｓpciとしてシステムコントローラ１００に出力される。
【０１０９】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための映像情報が含まれている副映像信号Ｓspに対応して、ハイライト情報に対応する選択項目（選択ボタン）の表示状態の変更が正確に行われるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhidとしてシステムコントローラ１００に出力される。この復調ハイライト信号Ｓhidの中に上記システムコントローラ１００内のレジスタを設定するための情報が含まれている。
【０１１０】
ここで、システムコントローラ１００は、当該復調ハイライト信号Ｓhidに基づき、ハイライト情報による表示状態の変更を行うべく、上記のハイライト制御信号Ｓchを出力することとなる。このとき、システムコントローラ１００は、復調ハイライト信号Ｓhidに含まれるハイライト情報の有効期間を示す有効期間情報に基づいて当該ハイライト情報に基づくメニュー画面等を用いた選択動作を有効とすべく、入力部９８からの入力信号Ｓinによる選択動作を受け付けると共に、上記ハイライト制御信号Ｓchを出力することとなる。
【０１１１】
更に、システムコントローラ１００は、システムバッファ８５から入力される制御情報Ｓc、デマルチプレクサ８６から入力されるヘッダ信号Ｓhd、システムＰＣＩデコーダ９５から入力されるＰＣＩ情報信号Ｓpci及びリモコン等の入力部９８から入力される入力信号Ｓinに基づき、それらの信号に対応した正しい再生を行うために上記のスイッチ信号Ｓsw2、ストリーム選択信号Ｓlc、ポーズ信号Ｓca、ハイライト制御信号Ｓchを出力すると共に、再生装置Ｓ2の動作状況等を表示するために表示信号Ｓdpを液晶表示装置等のディスプレイ９９に出力する。
【０１１２】
更にまた、システムコントローラ１００は、上記ＤＳＩ情報信号Ｓdsi等により、シームレス再生のためにサーチ等のトラックジャンプの処理が必要であることを検出したときには、ドライブコントローラ１０１に対して、当該トラックジャンプの処理に対応するシームレス制御信号Ｓcslを出力する。
【０１１３】
そして、シームレス制御信号Ｓcslが入力されたドライブコントローラ１０１は、スピンドルモータ１０２又はスライダモータ１０３に対して駆動信号Ｓdを出力する。この駆動信号Ｓdにより、スピンドルモータ１０２又はスライダモータ１０３は、光ビームＢが再生すべきＤＶＤ１上の記録位置に照射されるようにピックアップ２を移動させる（図８破線矢印参照）と共に、ＤＶＤ１の回転数をＣＬＶ（Constant Linear Velocity：線速度一定）制御する。これと並行して、ドライブコントローラ１０１は、ピックアップ２が移動中であり復調訂正部８１から復調信号Ｓdmが出力されないときには、シームレス制御信号Ｓcslに基づきスイッチ信号Ｓsw1を出力し、ストリームスイッチ８２を開とすると共に、復調信号Ｓdmが出力され始めると、ストリームスイッチ８２を閉成して復調信号Ｓdmをトラックバッファ８３に出力する。
【０１１４】
次に、上記のオーディオデコーダ９３における処理について、当該オーディオデコーダ９３が２４ビットのＤ／Ａ変換能力を有する場合と１６ビットのＤ／Ａ変換能力しか有しない場合とに分けて詳説する。
【０１１５】
（Ａ）オーディオデコーダの第１実施形態
始めに、１６ビットのＤ／Ａ変換能力しか有しないオーディオデコーダ９３（以下、オーディオデコーダ９３−１という。）の構成及び動作について、図９を用いて説明する。
【０１１６】
図９（ａ）に示すように、オーディオデコーダ９３−１の場合、当該オーディオデコーダ９３−１は、入力されたオーディオ信号Ｓadに含まれるオーディオパックＡＰから上位ビットデータブロックＵＢのみを抽出し、抽出信号Ｓapとして出力する記録情報ブロック抽出手段としての抽出部９３Ａと、抽出信号Ｓapに含まれる上位ビットデータ６６を１６ビットでＤ／Ａ変換して復調オーディオ信号Ｓaddを出力する再生処理手段としてのデコード部９３Ｂとにより構成されている。  次に、図９（ｂ）に示すフローチャートを用いて動作を説明する。
【０１１７】
図９（ｂ）に示すように、オーディオデコーダ９３−１においては、オーディオバッファ９２からオーディオ信号Ｓadが入力されると、始めに、抽出部９３Ａにおいて、当該オーディオ信号Ｓadに含まれるオーディオパックＡＰから上位ビットデータブロックＵＢのみを抽出して抽出信号Ｓapを出力する（ステップＳ１）。この上位ビットデータブロックＵＢのみの抽出は、オーディオパックＡＰに含まれている付加情報ＡＤにおける量子化ビット数及び当該オーディオパックＡＰに含まれているチャネル数の情報に基づき、オーディオパックＡＰの先頭からの上位ビットデータブロックＵＢの位置を算出し、これにより上位ビットデータブロックＵＢのみを抽出すると共に、下位ビットデータブロックＤＢを破棄する（読み跳ばす。）。
【０１１８】
オーディオパックＡＰから上位ビットデータブロックＵＢのみが抽出されると（ステップＳ１）、次に、デコード部９３Ｂにおいて、抽出信号Ｓapに含まれる上位ビットデータ６６を抽出すると共に当該上位ビットデータ６６に含まれるチャネル上位ビットデータ６８を各チャネル毎に抽出し（ステップＳ２）、その後、各チャネル毎にチャネル上位ビットデータ６８を１６ビットでＤ／Ａ変換し、復調オーディオ信号Ｓaddを出力する（ステップＳ３）。
【０１１９】
そして、全てのデータについて処理が終了したか否かが判断され（ステップＳ４）、終了している場合には（ステップＳ４；ＹＥＳ）処理を終了し、終了していない場合には（ステップＳ４；ＮＯ）、次のデータについて処理を行うべくステップＳ１に戻る。
【０１２０】
以上の動作により、１６ビットの上位ビットデータブロックＵＢのみを抽出してオーディオデータ４３のＤ／Ａ変換が行われ、各チャネル毎に復調オーディオ信号Ｓaddが出力されて対応する図示しないスピーカ等から音として出力される。
【０１２１】
（Ｂ）オーディオデコーダの第２実施形態
次に、２４ビットのＤ／Ａ変換能力を有するオーディオデコーダ９３（以下、オーディオデコーダ９３−２という。）の構成及び動作について、図１０を用いて説明する。
【０１２２】
図１０（ａ）に示すように、オーディオデコーダ９３-2の場合、当該オーディオデコーダ９３−２は、入力されたオーディオ信号Ｓadに含まれるオーディオパックＡＰから上位ビットデータブロックＵＢ及び下位ビットデータブロックＤＢを抽出し、第１抽出信号Ｓap1として出力する記録情報ブロック抽出手段としての第１抽出部９３Ｃと、第１抽出信号Ｓap1に含まれる上位ビットデータブロックＵＢ及び下位ビットデータブロックＤＢから夫々上位ビットデータ６６及び下位ビットデータ６７を各チャネル毎に抽出して第２抽出信号Ｓap2として出力する量子化記録情報抽出手段としての第２抽出部９３Ｄと、第２抽出信号Ｓap2に含まれる上位ビットデータ６６及び下位ビットデータ６７のうち、偶数番目の量子化タイミングに対応する上位ビットデータ６６Ａと偶数番目の量子化タイミングに対応する下位ビットデータ６７Ａとを各チャネル毎に合成すると共に、奇数番目の量子化タイミングに対応する上位ビットデータ６６Ｂと奇数番目の量子化タイミングに対応する下位ビットデータ６７Ｂとを各チャネル毎に合成し、夫々２４ビットのオーディオデータ４３を再構成し、各チャネル毎にＤ／Ａ変換して復調オーディオ信号Ｓaddを出力する再生処理手段としてのデコード部９３Ｅとにより構成されている。
【０１２３】
次に、図１０（ｂ）に示すフローチャートを用いて動作を説明する。
【０１２４】
図１０（ｂ）に示すように、オーディオデコーダ９３‐２においては、オーディオバッファ９２からオーディオ信号Ｓadが入力されると、始めに、第１抽出部９３Ｃにおいて、当該オーディオ信号Ｓadに含まれるオーディオパックＡＰから上位ビットデータブロックＵＢ及び下位ビットデータブロックＤＢを抽出して第１抽出信号Ｓap1として出力する（ステップＳ１０）。この上位ビットデータブロックＵＢ及び下位ビットデータブロックＤＢの抽出は、オーディオパックＡＰに含まれている付加情報ＡＤにおける量子化ビット数及び当該オーディオパックＡＰに含まれているチャネル数の情報に基づき、オーディオパックＡＰの先頭からの上位ビットデータブロックＵＢ及び下位ビットデータブロックＤＢの位置を算出し、これにより上位ビットデータブロックＵＢ及び下位ビットデータブロックＤＢを個別に抽出するものである。
【０１２５】
オーディオパックＡＰから上位ビットデータブロックＵＢ及び下位ビットデータブロックＤＢが抽出されると（ステップＳ１０）、次に、第２抽出部９３Ｄにおいて、上位ビットデータブロックＵＢ及び下位ビットデータブロックＤＢから夫々上位ビットデータ６６及び下位ビットデータ６７を各チャネル毎に抽出して第２抽出信号Ｓap2として出力する（ステップＳ１１）。この各チャネル毎の抽出は、上位ビットデータ６６及び下位ビットデータ６７において、チャネル上位ビットデータ６８及びチャネル下位ビットデータ６９が夫々１６ビット及び８ビットずつの区切りといして含まれているのが予め判っているので、抽出した上位ビットデータ６６の先頭から１６ビットずつ区切って抽出することによりチャネル上位ビットデータ６８を得ると共に、抽出した下位ビットデータ６７の先頭から８ビットずつ区切って抽出することによりチャネル下位ビットデータ６９を得るものである。
【０１２６】
そして、各チャネル毎に上位ビットデータ６６及び下位ビットデータ６７が抽出されると（ステップＳ１１）、次に、デコーダ部９３Ｅにおいて、抽出した上位ビットデータ６６及び下位ビットデータ６７を一時的に記憶しておくことにより、偶数番目の量子化タイミングに対応する上位ビットデータ６６Ａと偶数番目の量子化タイミングに対応する下位ビットデータ６７Ａとを各チャネル毎に合成すると共に、奇数番目の量子化タイミングに対応する上位ビットデータ６６Ｂと奇数番目の量子化タイミングに対応する下位ビットデータ６７Ｂとを各チャネル毎に合成し、夫々２４ビットのオーディオデータ４３を再構成する（ステップＳ１２）。このオーディオデータ４３の再構成は、各オーディオフレームＡＦ毎に、行われる。そして、再構成された２４ビットのオーディオデータ４３を、各チャネル毎にＤ／Ａ変換して復調オーディオ信号Ｓaddを出力する（ステップＳ１３）。
【０１２７】
そして、全てのデータについて処理が終了したか否かが判断され（ステップＳ１４）、終了している場合には（ステップＳ１４；ＹＥＳ）処理を終了し、終了していない場合には（ステップＳ１４；ＮＯ）、次のデータについて処理を行うべくステップＳ１０に戻る。
【０１２８】
以上の動作により、上位ビットデータブロックＵＢ及び下位ビットデータブロックＤＢを抽出して２４ビットのオーディオデータ４３のＤ／Ａ変換が行われ、各チャネル毎に復調オーディオ信号Ｓaddが出力されて対応する図示しないスピーカ等から音として出力される。
【０１２９】
以上説明したように、実施形態の再生装置Ｓ2によれば、ＤＶＤ１において、２４ビットで量子化されたオーディオデータ４３が、上位１６ビットの上位ビットデータ６６と下位８ビットの下位ビットデータ６７とに分割され、連続する量子化タイミングに対応する二つずつの上位ビットデータ６６及び下位ビットデータ６７により夫々上位ビットデータブロックＵＢ及び下位ビットデータブロックＤＢが構成されて記録されているので、オーディオデコーダが１６ビットの処理能力しか有しないときは、上記上位ビットデータブロックＵＢのみを抽出してそれに含まれる上位ビットデータ６６をＤ／Ａ変換して再生することができる。
【０１３０】
また、オーディオデコーダが２４ビットのＤ／Ａ変換処理が可能であるときは、上位ビットデータ６６及び下位ビットデータ６７を抽出して対応する上位ビットデータ６６と下位ビットデータ６７を対としてＤ／Ａ変換することができる。  更に、上位ビットデータ６６及び下位ビットデータ６７が共に８の倍数のビット数を有しているので、８ビットのディジタル信号処理において処理を簡略化できる。
【０１３１】
更にまた、偶数番目の量子化タイミングに対応する上位ビットデータ６６Ａと奇数番目の量子化タイミングに対応する上位ビットデータ６６Ｂとにより上位ビットデータブロックＵＢが構成され、偶数番目の量子化タイミングに対応する下位ビットデータ６７Ａと奇数番目の量子化タイミングに対応する下位ビットデータ６７Ｂとにより下位ビットデータブロックＤＢが構成されて記録されるので、オーディオデコーダが２４ビットのＤ／Ａ変換処理が可能であるときは、Ｄ／Ａ変換処理において上位ビットデータ６６と下位ビットデータ６７を合成するとき必要な当該オーディオデコーダ内のメモリの容量を低減できる。
【０１３２】
また、オーディオデータ４３に含まれるチャネル数によらず、上位ビットデータブロックＵＢと下位ビットデータブロックＤＢが共に１６ビットの整数倍の大きさとなるので、ディジタル信号処理がいっそう容易なものとなる。
【０１３３】
なお、上記の各実施形態においては、オーディオデータ４３が２４ビットの量子化ビット数を有するリニアＰＣＭ方式でＤＶＤ１に記録されており、その内、上位１６ビットを上位ビットデータ６６とし、下位８ビットを下位ビットデータとした場合について説明したが、本発明これに限らず、８×ｎ（ｎは自然数）ビットで量子化されたオーディオデータを再生時の聴感上影響の大きい上位８×ｍ（ｍ＜ｎ、且つ、ｍは自然数）ビットを上位ビットデータとし、再生時の聴感上影響の小さい下位８×ｒ（ｒ＝ｎ−ｍ、且つ、ｒは自然数）ビットを下位ビットデータとした場合にも適用できるものである。
【０１３４】
更に、情報記録媒体の形態も上記ＤＶＤ１に限られるものではない。
【図面の簡単な説明】
【０１３５】
【図１】記録情報の物理的構造（物理フォーマット）を示す図である。
【図２】ＧＯＰを構成するフレーム画像を示す図である。
【図３】オーディオデータの物理的構造の細部構成を示す図である。
【図４】記録情報の論理的構造（論理フォーマット）を示す図である。
【図５】インターリーブドユニットの構造を示す図である。
【図６】記録装置の概要構成を示すブロック図である。
【図７】信号処理部の細部構成を示すブロック図である。
【図８】再生装置の概要構成を示すブロック図である。
【図９】オーディオデコーダの第１実施形態を示す図であり、（ａ）は第１実施形態のオーディオデコーダの概要構成を示すブロック図であり、（ｂ）は第１実施形態のオーディオデコーダの動作を示すフローチャートである。
【図１０】オーディオデコーダの第２実施形態を示す図であり、（ａ）は第２実施形態のオーディオデコーダの概要構成を示すブロック図であり、（ｂ）は第２実施形態のオーディオデコーダの動作を示すフローチャートである。
【符号の説明】
【０１３６】
１    ＤＶＤ
２    ビデオマネージャ
３、６３    ＶＴＳ
１０    ＶＯＢ
１１    コントロールデータ
２０    セル
３０    ＶＯＢユニット
４１    ナビパック
４２    ビデオデータ
４３    オーディオデータ
４４    サブピクチャデータ
５０…ＰＣＩデータ
５１    ＤＳＩデータ
５２    ＧＯＰ
６０    プログラム
６１、６１Ａ、６１Ｂ    ＰＧＣ
６２    タイトル
６４    パックヘッダ
６５    パケットヘッダ
６６、６６Ａ、６６Ｂ    上位ビットデータ
６７、６７Ａ、６７Ｂ    下位ビットデータ
６８    チャネル上位ビットデータ
６９    チャネル下位ビットデータ
７０    ＶＴＲ
７１    メモリ
７２    信号処理部
７２Ａ    処理部
７２Ｂ    量子化部
７２Ｃ、７２Ｄ    分割部
７２Ｅ、７２Ｆ    多重部
７２Ｇ    制御情報生成部
７３、７４    ハードディスク装置
７５    コントローラ
７６    多重器
７７    変調器
７８    マスタリング装置
８０    ピックアップ
８１    復調訂正部
８２、８４    ストリームスイッチ
８３    トラックバッファ
８５    システムバッファ
８６    デマルチプレクサ
８７    ＶＢＶバッファ
８８    ビデオデコーダ
８９    サブピクチャバッファ
９０    サブピクチャデコーダ
９１    混合器
９２    オーディオバッファ
９３、９３−１、９３−２    オーディオデコーダ
９３Ａ    抽出部
９３Ｂ、９３Ｅ    デコード部
９３Ｃ    第１抽出部
９３Ｄ    第２抽出部
９４    ＰＣＩバッファ
９５    ＰＣＩデコーダ
９６    ハイライトバッファ
９７    ハイライトデコーダ
９８    入力部
９９    ディスプレイ
１００    システムコントローラ
１０１    ドライブコントローラ
１０２    スピンドルモータ
１０３    スライダモータ
ＡＰ    オーディオパック
ＡＦ    オーディオフレーム
ＡＤ    付加情報
ＳＰＢ    サンプルブロック
ＵＢ    上位ビットデータブロック
ＤＢ    下位ビットデータブロック
Ｂ    光ビーム
Ｓ1    記録装置
Ｓ2    再生装置
ＳＴ    キューシート
Ｓr    圧縮多重信号
Ｓrv    処理映像信号
Ｓrvp    分割処理映像信号
Ｓra    量子化音信号
Ｓrapp    多重量子化音信号
Ｓrap    分割量子化音信号
Ｓi    制御情報信号
Ｓa    付加情報信号
Ｓcc    情報選択信号
Ｓm    ディスク記録信号
Ｓap    情報付加圧縮多重信号
Ｓpci    ＰＣＩ情報信号
Ｓdsi    ＤＳＩ情報信号
Ｓp    検出信号
Ｓd    駆動信号
Ｓdm    復調信号
Ｓsw1、Ｓsw2    スイッチ信号
Ｓin    入力信号
Ｓdp    表示信号
Ｓcsl    シームレス制御信号
Ｓc    制御信号
Ｓlc    ストリーム選択信号
Ｓca    ポーズ信号
Ｓch    ハイライト制御信号
Ｓhi    ハイライト信号
Ｓpc    ＰＣＩ信号
Ｓad    オーディオ信号
Ｓsp    副映像信号
Ｓv    ビデオ信号
Ｓvd    復調ビデオ信号
Ｓspd    復調副映像信号
Ｓadd    復調オーディオ信号
Ｓvp    映像信号
Ｓhid    復調ハイライト信号
Ｓhd    ヘッダ信号
Ｓap    抽出信号
Ｓap1    第１抽出信号
Ｓap2    第２抽出信号
Ｔt    タイムコード
Ｒ    記録情報
【図１】
2006079828.tif 000003
【図２】
2006079828.tif 000004
【図３】
2006079828.tif 000005
【図４】
2006079828.tif 000006
【図５】
2006079828.tif 000007
【図６】
2006079828.tif 000008
【図７】
2006079828.tif 000009
【図８】
2006079828.tif 000010
【図９】
2006079828.tif 000011
【図１０】
2006079828.tif 000012